(57)【特許請求の範囲】
【請求項１】
正極用活物質が塗布された正極シートと、負極用活物質が塗布された負極シートと、前記正極シートと前記負極シートの間に介在されるセパレータとからなる層を複数層有する構成の二次電池用電極組立体であって、
前記正極シートには一端側に正極切り欠き部及び正極用活物質非塗布部が形成されており、
前記負極シートには一端側に前記正極シートの前記正極用活物質非塗布部と重なる位置に負極切り欠き部が形成され、かつ前記正極切り欠き部と重なる位置に負極用活物質非塗布部が形成されており、
前記セパレータには一端側に前記正極切り欠き部及び前記負極切り欠き部と重なる位置にセパレータ切り欠き部が形成されており、
前記正極用活物質非塗布部及び前記負極用活物質非塗布部は、それぞれ前記正極シートあるいは前記負極シートの一端側から他端側の方向に切り込まれた第一切り込みと、前記第一切り込みにおける他端側の先端部を通りかつ前記第一切り込みと交差する方向に切り込まれた第二切り込みを有しており、
前記正極シートは前記正極用活物質非塗布部が正極端子接続用部材に直接接合可能に構成され、前記負極シートは前記負極用活物質非塗布部が負極端子接続用部材に直接接合可能に構成されていることを特徴とする二次電池用電極組立体。
【請求項２】
正極用活物質が塗布された正極シートと、負極用活物質が塗布された負極シートと、前記正極シートと前記負極シートの間に介在されるセパレータとからなる層を複数層有する構成の二次電池用電極組立体であって、
前記正極シートには一端側に正極切り欠き部及び正極用活物質非塗布部が形成されており、
前記負極シートには一端側に前記正極シートの前記正極用活物質非塗布部と重なる位置に負極切り欠き部が形成され、かつ前記正極切り欠き部と重なる位置に負極用活物質非塗布部が形成されており、
前記セパレータには一端側に前記正極切り欠き部及び前記負極切り欠き部と重なる位置にセパレータ切り欠き部が形成されており、
前記正極用活物質非塗布部及び前記負極用活物質非塗布部は、それぞれ前記正極シートあるいは前記負極シートの一端側から他端側の方向に切り込まれた２つの第一切り込みを有しており、
前記正極シートは前記正極用活物質非塗布部が正極端子接続用部材に直接接合可能に構成され、前記負極シートは前記負極用活物質非塗布部が負極端子接続用部材に直接接合可能に構成されていることを特徴とする二次電池用電極組立体。
【請求項３】
前記正極シート、前記負極シート及び前記セパレータは一定方向に積層されている請求項１又は請求項２に記載の二次電池用電極組立体。
【請求項４】
請求項１〜請求項３のいずれか一項に記載の二次電池用電極組立体を備えた二次電池。
【請求項５】
請求項４に記載の二次電池が搭載された車両。
【発明の詳細な説明】
【技術分野】
【０００１】
本発明は、二次電池用電極組立体及び二次電池並びに車両に関する。
【背景技術】
【０００２】
二次電池は再充電が可能であり、繰り返し使用することができるため電源として広く利用されている。近年、化石燃料の使用削減（二酸化炭素排出規制）が求められており、電気自動車やハイブリッド車等の主電源や補助電源に使用される二次電池では、大電流での充電及び放電や二次電池の大容量化が要求されるようになっている。
【０００３】
リチウムイオン二次電池では、電極として金属箔製の集電体に活物質を塗布（担持）したものが使用されている。そして、正極用の集電体と負極用の集電体との間に帯状のセパレータを挟んだ積層状態で略長円柱状に巻いて発電要素（電極組立体）が構成され、その発電要素が電解液と共に電池ケースに収容された二次電池がある（例えば、特許文献１参照）。
【０００４】
特許文献１の二次電池では正極と負極の短絡を防止するため、図８（ａ）に示すように、発電要素５１の上端部に負極集電体５２を配置して負極５１ａの集電を行っていた。負極集電体５２は蛇腹状の挟持部５２ａを有し、図８（ｂ）に示すように、各挟持部５２ａの隙間に負極５１ａの端縁部が複数枚ずつまとめて挟み込まれて、かしめ及び溶接で固定されている。負極集電体５２は負極端子５３を有する。また、発電要素５１の下端部に正極集電体（図示せず）が配置され、同様に構成された正極集電体の挟持部の隙間に、正極５１ｂの端縁部が複数枚ずつまとめて挟み込まれて、かしめ及び溶接で固定されている。
【０００５】
また、積層厚さが均一で、容量が増加する電極組立体及びこれを有する二次電池が提案されている（特許文献２参照）。図９に示すように、特許文献２に記載の電極組立体６０は、正極活物質６１ａが塗布された正極板６１と、負極活物質６２ａが塗布された負極板６２と、正極板６１と負極板６２の間に介在されたセパレータ６３とを含む。正極タブ６１ｂは正極板６１の正極活物質６１ａが塗布されていない部分に付着され、負極タブ６２ｂは負極板６２の負極活物質６２ａが塗布されていない部分に付着されている。正極板６１には負極タブ６２ｂと対応する位置に正極切開部６１ｃが形成され、負極板６２には正極タブ６１ｂと対応する位置に負極切開部６２ｃが形成されている。
【先行技術文献】
【特許文献】
【０００６】
【特許文献１】特許第４０９９６０９号公報
【特許文献２】特開２０１１−７７０２５号公報
【発明の概要】
【発明が解決しようとする課題】
【０００７】
特許文献１の構成では、負極集電体５２及び正極集電体の構造が複雑で、隣り合う挟持部５２ａの間や負極端子５３の近傍に利用されない空間（デッドスペース）が存在する状態となり、その分、二次電池のエネルギ密度が低くなる。特許文献２の構成では、特許文献１の構成に比べて二次電池のエネルギ密度は高くなる。しかし、各正極板６１及び各負極板６２に正極タブ６１ｂ及び負極タブ６２ｂを付着する作業が必要になる。そして、実際の二次電池では正極板６１及び負極板６２の数は数十枚となるため、正極タブ６１ｂ及び負極タブ６２ｂの付着に手間が掛かる。
【０００８】
本発明は、前記の問題に鑑みてなされたものであって、その目的は、タブを正極シート（正極体）や負極シート（負極体）に接続する必要がなく、正極と負極の短絡防止を確保した状態でデッドスペースを低減して体積エネルギ密度の向上を図ることができる二次電池用電極組立体及び二次電池を提供することにある。また、前記二次電池を搭載した車両を提供することにある。
【課題を解決するための手段】
【０００９】
前記の目的を達成するため、請求項１に記載の発明は、正極用活物質が塗布された正極シートと、負極用活物質が塗布された負極シートと、前記正極シートと前記負極シートの間に介在されるセパレータとからなる層を複数層有する構成の二次電池用電極組立体であって、前記正極シートには一端側に正極切り欠き部及び正極用活物質非塗布部が形成されており、前記負極シートには一端側に前記正極シートの前記正極用活物質非塗布部と重なる位置に負極切り欠き部が形成され、かつ前記正極切り欠き部と重なる位置に負極用活物質非塗布部が形成されており、前記セパレータには一端側に前記正極切り欠き部及び前記負極切り欠き部と重なる位置にセパレータ切り欠き部が形成されており、前記正極用活物質非塗布部及び前記負極用活物質非塗布部は、それぞれ前記正極シートあるいは前記負極シートの一端側から他端側の方向に切り込まれた第一切り込みと、前記第一切り込みにおける他端側の先端部を通りかつ前記第一切り込みと交差する方向に切り込まれた第二切り込みを有しており、前記正極シートは前記正極用活物質非塗布部が正極端子接続用部材に直接接合可能に構成され、前記負極シートは前記負極用活物質非塗布部が負極端子接続用部材に直接接合可能に構成されている。ここで、「直接接合可能」とは、正極タブを介さずに正極用活物質非塗布部が正極端子接続用部材に接合されるか、複数の正極用活物質非塗布部が重なり合った状態で正極端子接続用部材に接合されることを意味し、負極用活物質非塗布部が負極端子接続用部材に接合される場合も同様である。
【００１０】
この発明では、複数層積層された正極シートは従来技術と異なり、正極タブを使用せずに正極用活物質非塗布部同士が接合された状態で正極端子接続用部材に接合され、複数層積層された負極シートは負極タブを使用せずに負極用活物質非塗布部同士が接合された状態で負極端子接続用部材に接合される。複数層の正極シートは間にセパレータ及び負極シートが存在する。しかし、セパレータ及び負極シートに形成された負極切り欠き部及びセパレータ切り欠き部は正極用活物質非塗布部と重なる状態で存在するため、複数の正極用活物質非塗布部を正極シートの積層方向に寄せることにより、正極用活物質非塗布部同士が接合された状態で負極シートと干渉せずに正極端子接続用部材に接合することができる。また、複数層の負極シートは、間にセパレータ及び正極シートが存在する。しかし、セパレータ及び正極シートに形成されたセパレータ切り欠き部及び正極切り欠き部は負極用活物質非塗布部と重なる状態で存在するため、複数の負極用活物質非塗布部を負極シートの積層方向に寄せることにより、負極用活物質非塗布部同士が接合された状態で正極シートと干渉せずに負極端子接続用部材に接合することができる。また、正極用活物質は正極シートの正極用活物質非塗布部が形成された部分と正極切り欠き部が形成された部分との間にも塗布され、負極用活物質は負極シートの負極用活物質非塗布部が形成された部分と負極切り欠き部が形成された部分との間にも塗布されているため、デッドスペースが少なくなる。したがって、正極タブや負極タブを正極シート（正極体）や負極シート（負極体）に接続する必要がなく、二次電池において正極と負極の短絡防止を確保した状態でデッドスペースを低減して体積エネルギ密度の向上を図ることができる。
複数の正極用活物質非塗布部同士あるいは複数の負極用活物質非塗布部同士を接合させる場合、切り込みが無い状態では正極シートや負極シートが薄く、積層間隔が小さなことが要件となるが、切り込みを設けることにより正極シートや負極シートの厚さや積層間隔の自由度が大きくなる。この発明では、正極用活物質非塗布部及び負極用活物質非塗布部は、それぞれ前記第一の切り込みと前記第二切り込みを有するため、正極シートあるいは負極シートに対して両開きの状態で折り曲げ可能になり、正極用活物質非塗布部あるいは負極用活物質非塗布部は二箇所で正極端子接続用部材あるいは負極端子接続用部材に接合される。したがって、一箇所で接合される構成に比べて強度的に良くなる。
請求項２に記載の発明は、正極用活物質が塗布された正極シートと、負極用活物質が塗布された負極シートと、前記正極シートと前記負極シートの間に介在されるセパレータとからなる層を複数層有する構成の二次電池用電極組立体であって、前記正極シートには一端側に正極切り欠き部及び正極用活物質非塗布部が形成されており、前記負極シートには一端側に前記正極シートの前記正極用活物質非塗布部と重なる位置に負極切り欠き部が形成され、かつ前記正極切り欠き部と重なる位置に負極用活物質非塗布部が形成されており、前記セパレータには一端側に前記正極切り欠き部及び前記負極切り欠き部と重なる位置にセパレータ切り欠き部が形成されており、前記正極用活物質非塗布部及び前記負極用活物質非塗布部は、それぞれ前記正極シートあるいは前記負極シートの一端側から他端側の方向に切り込まれた２つの第一切り込みを有しており、前記正極シートは前記正極用活物質非塗布部が正極端子接続用部材に直接接合可能に構成され、前記負極シートは前記負極用活物質非塗布部が負極端子接続用部材に直接接合可能に構成されている。
正極用活物質非塗布部あるいは負極用活物質非塗布部を正極シートあるいは負極シートに対して接合する場合、接合力を確保するためには接合部として所定以上の面積が必要になる。両開きの状態では接合部が二箇所になるため、片開きの状態に比べて正極用活物質非塗布部あるいは負極用活物質非塗布部の面積を大きくする必要がある。その結果、正極シートあるいは負極シートに塗布される活物質の量が少なくなる。この発明では、正極用活物質非塗布部及び負極用活物質非塗布部は、それぞれ２つの前記第一切り込みを有するため、正極シートあるいは負極シートに対して片開きの状態で折り曲げ可能になり、正極用活物質非塗布部あるいは負極用活物質非塗布部は一箇所で正極端子接続用部材あるいは負極端子接続用部材に接合される。したがって、二箇所で接合される構成に比べて正極用活物質非塗布部あるいは負極用活物質非塗布部の面積を小さくすることができ、二箇所で接合される構成に比べて正極用活物質あるいは負極用活物質の塗布量を多くでき、二次電池のエネルギ密度が大きくなる。
【００１１】
請求項３に記載の発明は、請求項１又は請求項２に記載の発明において、前記正極シート、前記負極シート及び前記セパレータは一定方向に積層されている。二次電池の構成として、帯状の正極シート及び帯状の負極シートを、帯状のセパレータを挟んだ積層状態で巻回して電極組立体が形成されるものや、複数の正極シート及び複数の負極シートを間にセパレータを挟んで積層して電極組立体が形成されるもの等がある。正極シート、負極シート及びセパレータとして帯状の物を使用して巻回する構成では、複数形成される正極用活物質非塗布部の間隔、負極用活物質非塗布部の間隔、各切り欠き部の間隔が巻回部の内側部と外側部とでは異なる状態に形成する必要がある。しかし、この発明では、正極シート、負極シート及びセパレータはそれぞれ複数枚ずつ設けられて一定方向に積層されている。したがって、同じ正極シート、負極シート及びセパレータを積層すればよく、製造が簡単になる。
【００１６】
請求項４に記載の発明は、請求項１〜請求項３のいずれか一項に記載の二次電池用電極組立体を備えた二次電池である。この発明の二次電池は正極と負極の短絡防止を確保した状態でデッドスペースを低減して体積エネルギ密度の向上を図ることができ、製造の際にタブを正極シートや負極シートに接続する必要がない。
【００１７】
請求項５に記載の発明は、請求項４に記載の二次電池が搭載された車両である。したがって、この発明の車両は請求項４に記載の発明の二次電池の効果が得られる。
【発明の効果】
【００１８】
本発明によれば、タブを正極シートや負極シートに接続する必要がなく、正極と負極の短絡防止を確保した状態でデッドスペースを低減して体積エネルギ密度の向上を図ることができる二次電池用電極組立体及び二次電池を提供することができる。また、前記二次電池を搭載した車両を提供することができる。
【図面の簡単な説明】
【００１９】
【図１】（ａ）は第１の実施形態の正極シート、負極シート及びセパレータの模式斜視図、（ｂ）は正極シート、負極シート及びセパレータを組み付けた状態の模式平面図。
【図２】正極シート、負極シート及びセパレータの原材料となる帯状体の部分模式図。
【図３】二次電池の模式平面図。
【図４】（ａ）は正極用活物質非塗布部及び負極用活物質非塗布部に形成された切り込みの形状を示す模式図、（ｂ）は複数の正極シート又は負極シートが端子接続用部材に接続された状態を示す模式図。
【図５】（ａ）は第２の実施形態の二次電池の模式平面図、（ｂ）は複数の正極シート又は負極シートが端子接続用部材に接続された状態を示す模式図、（ｃ）は切り込みの形状を示す模式図。
【図６】（ａ）は別の実施形態の切り込みの形状を示す模式図、（ｂ）は複数の正極シートが端子接続用部材に接続された状態を示す模式図、（ｃ）は別の実施形態の端子接続用部材の模式図。
【図７】別の実施形態の正極シート、セパレータ及び負極シートとの関係を示す模式図。
【図８】（ａ）は従来技術の発電要素の斜視図、（ｂ）は負極集電体の挟持部に負極の端部が挟み込まれた状態を示す部分拡大斜視図。
【図９】別の従来技術の電極組立体の模式斜視図。
【発明を実施するための形態】
【００２０】
（第１の実施形態）
以下、本発明を具体化した第１の実施形態を図１〜図４にしたがって説明する。
図１（ａ），（ｂ）に示すように、二次電池用電極組立体１０は、正極用活物質１１ａが塗布された正極シート（正極体）１１と、負極用活物質１２ａが塗布された負極シート（負極体）１２と、正極シート１１と負極シート１２の間に介在されるセパレータ１３とからなる層を複数層有する構成である。なお、積層された構成において、層間に図示しない電解液を入れることができる。正極シート１１、負極シート１２及びセパレータ１３はそれぞれ複数枚ずつ設けられて一定方向に積層されている。
【００２１】
なお、図１（ａ），（ｂ）は二次電池用電極組立体１０の構成を分かり易くするため模式的に描いたものであり、実際は、正極シート１１及び負極シート１２の枚数は数十枚であり、各部の寸法の比率も実際のものと異なる。例えば、隣り合うセパレータ１３の間隔は１００μｍ〜１６０μｍ程度である。
【００２２】
図１（ｂ）に示すように、正極用活物質１１ａは正極シート１１の両面に塗布されており、負極用活物質１２ａは負極シート１２の両面に塗布されている。
正極シート１１には一端側に正極切り欠き部１１ｂ及び正極用活物質非塗布部１１ｃが形成されている。負極シート１２には一端側に正極シート１１の正極用活物質非塗布部１１ｃと重なる位置に負極切り欠き部１２ｂが形成され、かつ正極シート１１の正極切り欠き部１１ｂと重なる位置に負極用活物質非塗布部１２ｃが形成されている。
【００２３】
セパレータ１３には一端側に正極切り欠き部１１ｂ及び負極切り欠き部１２ｂと重なる位置にセパレータ切り欠き部１３ａが形成されている。セパレータ１３は正極シート１１と負極シート１２との電気的絶縁性を確保するため、正極シート１１及び負極シート１２より大きく形成されるとともにセパレータ切り欠き部１３ａが正極切り欠き部１１ｂ及び負極切り欠き部１２ｂより小さく形成されている。
【００２４】
正極シート１１及び負極シート１２は、図２に示すように、金属箔製の帯状材料１４ａに正極用活物質１１ａあるいは負極用活物質１２ａの塗布と、正極用活物質非塗布部１１ｃあるいは負極用活物質非塗布部１２ｃの形成と、正極切り欠き部１１ｂ及び負極切り欠き部１２ｂの形成が行われた後、それぞれ１枚ずつ所定の大きさに切り離されて形成される。また、セパレータ１３は、絶縁材製の帯状材料１４ｂにセパレータ切り欠き部１３ａが所定間隔で形成された後、それぞれ１枚ずつ所定の大きさに切り離されて形成される。
【００２５】
図４（ａ）に示すように、正極用活物質非塗布部１１ｃ及び負極用活物質非塗布部１２ｃには正極用活物質非塗布部１１ｃあるいは負極用活物質非塗布部１２ｃを正極シート１１あるいは負極シート１２に対して両開きの状態で折り曲げ可能にする切り込みが形成されている。詳述すると、正極用活物質非塗布部１１ｃ及び負極用活物質非塗布部１２ｃは、正極シート１１あるいは負極シート１２の一端側から他端側の方向に切り込まれた第一切り込み１５ａと、第一切り込み１５ａにおける他端側の先端部を通りかつ第一切り込み１５ａと交差する方向に切り込まれた第二切り込み１５ｂを有する。即ち、切り込みは、矩形状の正極用活物質非塗布部１１ｃあるいは負極用活物質非塗布部１２ｃの中央部において短辺に沿って延びる第一切り込み１５ａと、長辺に沿って延びる第二切り込み１５ｂとで、逆Ｔ字状となるように形成されている。
【００２６】
そして、図４（ｂ）に示すように、複数枚の互いに隣接する正極シート１１は、正極用活物質非塗布部１１ｃが第一切り込み１５ａ及び第二切り込み１５ｂの部分で両開きとなった状態で、両開きとなった部分の先端側の接合部１１ｄが重なり合った状態で正極端子接続用部材１６に対して二箇所で接合されている。また、負極シート１２は負極用活物質非塗布部１２ｃが第一切り込み１５ａ及び第二切り込み１５ｂの部分で両開きとなった状態で、両開きの先端側の接合部１２ｄが重なり合った状態で負極端子接続用部材１７に対して二箇所で接合されている。なお、接合は例えばインダイレクト溶接で行われる。即ち、正極シート１１は正極用活物質非塗布部１１ｃが正極端子接続用部材１６に他の部材を介さずに直接接合可能に構成され、負極シート１２は負極用活物質非塗布部１２ｃが負極端子接続用部材１７に他の部材を介さずに直接接合可能に構成されている。
【００２７】
複数の正極用活物質非塗布部１１ｃ同士あるいは複数の負極用活物質非塗布部１２ｃ同士を接合させる場合、第一切り込み１５ａ及び第二切り込み１５ｂが無い状態では正極シート１１や負極シート１２が薄く、積層間隔が小さなことが要件となるが、第一切り込み１５ａ及び第二切り込み１５ｂを設けることにより正極シート１１や負極シート１２の厚さや積層間隔の自由度が大きくなる。この実施形態では、正極シート１１あるいは負極シート１２に対して両開きの状態で折り曲げ可能にする第一切り込み１５ａ及び第二切り込み１５ｂが形成され、正極用活物質非塗布部１１ｃあるいは負極用活物質非塗布部１２ｃは二箇所で正極端子接続用部材１６あるいは負極端子接続用部材１７に接合される。そのため、一箇所で接合される構成に比べて強度的に良くなる。
【００２８】
複数層積層された正極シート１１は従来技術と異なり、正極タブを使用せずに正極用活物質非塗布部１１ｃ同士が接合された状態で正極端子接続用部材１６に接合され、複数層積層された負極シート１２は負極タブを使用せずに負極用活物質非塗布部１２ｃ同士が接合された状態で負極端子接続用部材１７に接合される。そして、隣り合う正極シート１１の間にセパレータ１３及び負極シート１２が存在する。しかし、セパレータ１３及び負極シート１２のセパレータ切り欠き部１３ａ及び負極切り欠き部１２ｂは正極用活物質非塗布部１１ｃと重なる状態で存在する。そのため、隣り合う正極用活物質非塗布部１１ｃを正極シート１１の積層方向に寄せることにより、正極用活物質非塗布部１１ｃ同士が接合された状態で負極シート１２と干渉せずに正極端子接続用部材１６に接合することができる。また、隣り合う負極シート１２の間にセパレータ１３及び正極シート１１が存在する。しかし、セパレータ切り欠き部１３ａ及び正極切り欠き部１１ｂは負極用活物質非塗布部１２ｃと重なる状態で存在するため、隣り合う負極用活物質非塗布部１２ｃを負極シート１２の積層方向に寄せることにより、負極用活物質非塗布部１２ｃ同士が接合された状態で正極シート１１と干渉せずに負極端子接続用部材１７に接合することができる。
【００２９】
また、正極用活物質１１ａは正極シート１１の正極用活物質非塗布部１１ｃが形成された部分と正極切り欠き部１１ｂが形成された部分との間にも塗布され、負極用活物質１２ａは負極シート１２の負極用活物質非塗布部１２ｃが形成された部分と負極切り欠き部１２ｂが形成された部分との間にも塗布されているため、デッドスペースが少なくなる。したがって、正極タブや負極タブを正極シート（正極体）１１や負極シート（負極体）１２にいちいち接続する必要がなく、二次電池１９において正極と負極の短絡防止を確保した状態でデッドスペースを低減して体積エネルギ密度の向上を図ることができる。
【００３０】
前記のように構成された二次電池用電極組立体１０は、図３に示すように、電池ケース（電槽）１８に収容され、図示しない電解液とともに二次電池１９が構成される。なお、図３では正極シート１１が正極端子接続用部材１６に、負極シート１２が負極端子接続用部材１７に接続される前の状態で示し、正極端子接続用部材１６及び負極端子接続用部材１７の図示を省略している。また、二次電池１９は、例えば、車両に搭載されて使用される。
【００３１】
この実施形態によれば、以下に示す効果を得ることができる。
（１）二次電池用電極組立体１０は、正極用活物質１１ａが塗布された正極シート（正極体）１１と、負極用活物質１２ａが塗布された負極シート（負極体）１２と、正極シート１１と負極シート１２の間に介在されるセパレータ１３とからなる層を複数層有する構成である。正極シート１１には一端側に正極切り欠き部１１ｂ及び正極用活物質非塗布部１１ｃが形成されており、負極シートには一端側に正極シート１１の正極用活物質非塗布部１１ｃと重なる位置に負極切り欠き部１２ｂが形成され、かつ正極切り欠き部１１ｂと重なる位置に負極用活物質非塗布部１２ｃが形成されている。セパレータ１３には一端側に正極切り欠き部１１ｂ及び負極切り欠き部１２ｂと重なる位置にセパレータ切り欠き部１３ａが形成されている。そして、正極シート１１は正極用活物質非塗布部１１ｃが正極端子接続用部材１６に直接接合可能に構成され、負極シート１２は負極用活物質非塗布部１２ｃが負極端子接続用部材１７に直接接合可能に構成されている。したがって、タブを正極シート１１や負極シート１２に接続する必要がなく、二次電池１９において正極と負極の短絡防止を確保した状態でデッドスペースを低減して体積エネルギ密度の向上を図ることができる。
【００３２】
（２）正極シート１１、負極シート１２及びセパレータ１３はそれぞれ一定方向に積層されている。したがって、同じ正極シート１１、負極シート１２及びセパレータ１３を積層すればよく、帯状の正極シート及び帯状の負極シートを、帯状のセパレータを挟んだ積層状態で巻回した構成のものに比べて製造が簡単になる。なぜならば、正極シート、負極シート及びセパレータとして帯状の物を使用して巻回する構成では、複数形成される正極用活物質非塗布部１１ｃの間隔、負極用活物質非塗布部１２ｃの間隔、正極切り欠き部１１ｂ、負極切り欠き部１２ｂ、セパレータ切り欠き部１３ａの間隔が巻回部の内側部と外側部とでは異なる状態に形成する必要があり、製造が複雑になるからである。
【００３３】
（３）正極用活物質非塗布部１１ｃ及び負極用活物質非塗布部１２ｃは、それぞれ正極シート１１あるいは負極シート１２の一端側から他端側の方向に切り込まれた第一切り込み１５ａと、第一切り込み１５ａにおける他端側の先端部を通りかつ第一切り込み１５ａと交差する方向に切り込まれた第二切り込み１５ｂを有する。そのため、正極用活物質非塗布部１１ｃあるいは負極用活物質非塗布部１２ｃを正極シート１１あるいは負極シート１２に対して両開きの状態で折り曲げ可能になる。したがって、一箇所で接合される構成に比べて強度的に良くなる。
【００３４】
（４）二次電池１９は前記構成の二次電池用電極組立体１０を備えているため、（１）〜（３）の効果を奏する。
（５）二次電池１９は車両に搭載されて使用される。したがって、車両は二次電池の（４）の効果が得られる。
【００３５】
（第２の実施形態）
次に、本発明を具体化した第２の実施形態を図５（ａ），（ｂ），（ｃ）にしたがって説明する。この実施形態では、二次電池とした状態で耐振動性と放熱性とを向上させる構成を備えている点が前記第１の実施形態と異なっている。第１の実施形態と同一部分は同一符号を付して詳しい説明を省略する。
【００３６】
図５（ａ）に示すように、二次電池用電極組立体１０は、一部の負極シート１２の間に、二次電池用電極組立体１０が電池ケース１８に収容された状態で二次電池用電極組立体１０を電池ケース１８に固定する板体２０を備えている。板体２０は両端に幅広部２０ａが形成され、幅広部２０ａにおいて電池ケース１８の内面に固定されている。板体２０は熱伝導性が良い電気的絶縁材、例えば、樹脂で形成されている。
【００３７】
図５（ｂ）に示すように、正極シート１１の正極用活物質非塗布部１１ｃ及び負極シート１２の負極用活物質非塗布部１２ｃは、板体２０に固定された正極端子接続用部材２１あるいは負極端子接続用部材２２に、複数枚ずつ接合されている。なお、正極用活物質非塗布部１１ｃ及び負極用活物質非塗布部１２ｃは、正極端子接続用部材２１あるいは負極端子接続用部材２２の両側に接合されるが、図５（ｂ）では片側部分の図示を省略している。この実施形態では切り込みは、図５（ｃ）に示すように、正極シート１１あるいは負極シート１２の幅方向（図の上下方向）に延びる２本の平行線となっている。即ち、正極用活物質非塗布部１１ｃ及び負極用活物質非塗布部１２ｃは、正極シート１１あるいは負極シート１２の一端側から他端側の方向に切り込まれた２つの第一切り込み１５ａを有する。
【００３８】
なお、図５（ａ）も図１（ｂ）と同様、二次電池用電極組立体１０の構成を分かり易くするため模式的に描いたものであり、実際は、正極シート１１及び負極シート１２の枚数は数十枚であり、各部の寸法の比率も実際のものと異なる。図５（ａ）に示す矢印は、正極用活物質非塗布部１１ｃあるいは負極用活物質非塗布部１２ｃを正極端子接続用部材２１あるいは負極端子接続用部材２２に対して接合する際に、正極用活物質非塗布部１１ｃあるいは負極用活物質非塗布部１２ｃを正極端子接続用部材２１あるいは負極端子接続用部材２２に近づける方向を示している。
【００３９】
したがって、この実施形態の二次電池用電極組立体１０を備えた二次電池１９は、板体２０を介して二次電池用電極組立体１０が電池ケース１８に固定されているため、二次電池１９に振動が加わった場合、二次電池用電極組立体１０の振動が抑制される。また、大電流での充・放電を行った場合、発生した熱が、板体２０を介して電池ケース１８に伝導されて電池ケース１８から外部に放出され易くなり、二次電池１９の放熱特性が向上する。
【００４０】
実施形態は前記に限定されるものではなく、例えば、次のように具体化してもよい。
○  図６（ａ）に示すように、正極用活物質非塗布部１１ｃ及び負極用活物質非塗布部１２ｃに、それぞれ正極用活物質非塗布部１１ｃあるいは負極用活物質非塗布部１２ｃを正極シート１１あるいは負極シート１２に対して片開きの状態で折り曲げ可能にする形状、例えばＬ字状の切り込み１５ｃを形成してもよい。このような構成では、図６（ｂ）に示すように、複数の正極用活物質非塗布部１１ｃあるいは負極用活物質非塗布部１２ｃは、片開きとなった部分の先端側の接合部１１ｄあるいは接合部１２ｄが重なり合った状態で正極端子接続用部材１６あるいは負極端子接続用部材１７に対して一箇所で接合される。
【００４１】
正極用活物質非塗布部１１ｃを正極シート１１に、あるいは負極用活物質非塗布部１２ｃを負極シート１２に対して接合する場合、接合力を確保するためには接合部１１ｄ，１２ｄとして所定以上の面積が必要になる。両開きの状態では接合部１１ｄ，１２ｄが二箇所になるため、片開きの状態に比べて正極用活物質非塗布部１１ｃあるいは負極用活物質非塗布部１２ｃの面積を大きくする必要がある。しかし、正極シート１１あるいは負極シート１２に対して片開きの状態で折り曲げ可能にする切り込み１５ｃが形成されている場合は、正極用活物質非塗布部１１ｃあるいは負極用活物質非塗布部１２ｃは一箇所で正極端子接続用部材１６あるいは負極端子接続用部材１７に接合される。したがって、二箇所で接合される構成に比べて正極用活物質非塗布部１１ｃあるいは負極用活物質非塗布部１２ｃの面積を小さくすることができ、二箇所で接合される構成に比べて正極用活物質１１ａあるいは負極用活物質１２ａの塗布量を多くでき、二次電池のエネルギ密度が大きくなる。
【００４２】
○  正極端子接続用部材１６あるいは負極端子接続用部材１７として、図６（ｃ）に示すように、正極用活物質非塗布部１１ｃあるいは負極用活物質非塗布部１２ｃが挿入される挿入溝１６ａあるいは挿入溝１７ａが形成されたものを使用してもよい。挿入溝１６ａあるいは挿入溝１７ａには複数の正極用活物質非塗布部１１ｃあるいは負極用活物質非塗布部１２ｃが挿入される。
【００４３】
○  正極シート１１と負極シート１２との電気的絶縁性を確保するため、正極シート１１と負極シート１２との間に独立したセパレータ１３を配置する構成に代えて、図７に示すように、負極シート１２を挟むように折り曲げられて配置されるセパレータ１３を使用したり、あるいは、正極シート１１を挟むように折り曲げられて配置されるセパレータ１３を使用したりしてもよい。正極シート１１と負極シート１２との間に独立したセパレータ１３を配置する構成では、正極シート１１及び負極シート１２が上側にずれた状態や下側にずれた状態で配置されてもセパレータ１３による絶縁確保を図るためには、セパレータ１３の上下方向の長さに余裕を持たせる必要がある。しかし、図７の構成では、負極シート１２がセパレータ１３の屈曲部に当接した状態で配置して、上側のずれ量を確保すればよく、正極シート１１、負極シート１２及びセパレータ１３の組み付け配置作業が容易になる。また、セパレータ１３の数が半分になる。なお、図７ではセパレータ１３の配置を分かり易くするため、セパレータ１３と正極シート１１及び負極シート１２との間隔を大きく図示している。
【００４４】
○  二次電池用電極組立体１０は、正極シート１１と、負極シート１２と、正極シート１１と負極シート１２の間に介在されるセパレータ１３とからなる層を複数層有する構成であればよく、正極シート１１及び負極シート１２がそれぞれ複数枚ずつあり、それらがセパレータ１３を挟んで順次積層された構成に限らない。例えば、帯状の正極シート及び帯状の負極シートがそれぞれ１枚ずつで、両正極シート及び負極シートがセパレータを挟んで複数層に巻回されて長円柱状に形成された構成であってもよい。この場合、正極シートに形成される正極用活物質非塗布部は、複数層に巻回された正極シートの径方向において重なる位置になる箇所に設けられ、負極シートに形成される切り欠き部は複数層に巻回された負極シートの径方向において正極用活物質非塗布部と重なる位置になる箇所に設けられる。また、負極シートに形成される負極用活物質非塗布部は、複数層に巻回された負極シートの径方向において重なる位置になる箇所に設けられ、正極シートに形成される切り欠き部は複数層に巻回された正極シートの径方向において負極用活物質非塗布部と重なる位置になる箇所に設けられる。
【００４５】
○  帯状の正極シート及び帯状の負極シートがそれぞれ１枚ずつで、正極シート及び負極シートが１枚の帯状のセパレータを挟んで複数層に巻回される構成の場合、帯状の正極シート、負極シート及びセパレータが長円柱状ではなく、円柱状に巻回された構成としてもよい。
【００４６】
○  正極用活物質１１ａ及び負極用活物質１２ａの塗布厚さはそれらの種類や正極シート１１や負極シート１２の材料によっても適切な値が異なり、正極用活物質１１ａの方が厚い場合、負極用活物質１２ａの方が厚い場合、両者が同じ場合がある。
【００４７】
○  単位面積当たりの正極用活物質１１ａ及び負極用活物質１２ａの塗布量を多くして、体積エネルギ密度を上げてもよい。
○  第２の実施形態において板体２０を金属製とし、正極端子接続用部材２１及び負極端子接続用部材２２を、絶縁材を介して板体２０に取り付ける構成としてもよい。
【００４８】
○  正極シート１１や負極シート１２の積層数は数十枚に限らず、二次電池に要求される大きさや容量によって適宜設定され、数十枚より多くても少なくてもよい。
【符号の説明】
【００４９】
１０…二次電池用電極組立体、１１…正極シート、１１ａ…正極用活物質、１１ｂ…正極切り欠き部、１１ｃ…正極用活物質非塗布部、１２…負極シート、１２ａ…負極用活物質、１２ｂ…負極切り欠き部、１２ｃ…負極用活物質非塗布部、１３…セパレータ、１３ａ…セパレータ切り欠き部、１５ａ…第一切り込み、１５ｂ…第二切り込み、１６，２１…正極端子接続用部材、１７，２２…負極端子接続用部材、１９…二次電池。
【図１】
0005691959.tif 000002
【図２】
0005691959.tif 000003
【図３】
0005691959.tif 000004
【図４】
0005691959.tif 000005
【図５】
0005691959.tif 000006
【図６】
0005691959.tif 000007
【図７】
0005691959.tif 000008
【図８】
0005691959.tif 000009
【図９】
0005691959.tif 000010